(57)【要約】
【課題】安価でリサイクル可能な段ボール製の机と椅子を提供する。
【解決手段】
四つの起立壁部が両端に接着部を有して左右に展開し、一つおきの起立壁部の上方又は下方に上面部が連続した側壁部と、天頂部の四辺外方に折返部が連続した天板部とを組み合わせてできる段ボール製机であり、この机が、接着部を接着して上面部が設けられない起立壁部の中央を内側に屈曲させた状態で起立壁部を立てらせ、上面部を折り返して屈曲させた起立壁部の中央上方に形成された切込に差し込んで垂下片を形成するとともに、天板部の天頂部を上面部の上に被せ、屈曲させた起立壁部に位置する折返部を折り返して垂下片の外端に形成された切込に差し込み、他の折返部は該当する起立壁部の上部に折り返したことを特徴とする段ボール製机。
【選択図】　図１
0003100180.tif 000002
【実用新案登録請求の範囲】
【請求項１】
四つの起立壁部が両端に接着部を有して左右に展開し、一つおきの起立壁部の上方又は下方に上面部が連続した側壁部と、天頂部の四辺外方に折返部が連続した天板部とを組み合わせてできる段ボール製机であり、この机が、接着部を接着して上面部が設けられない起立壁部の中央を内側に屈曲させた状態で起立壁部を立てらせ、上面部を折り返して屈曲させた起立壁部の中央上方に形成された切込に差し込んで垂下片を形成するとともに、天板部の天頂部を上面部の上に被せ、屈曲させた起立壁部に位置する折返部を折り返して垂下片の外端に形成された切込に差し込み、他の折返部は該当する起立壁部の上部に折り返したことを特徴とする段ボール製机。
【請求項２】
天板部の折返部が、側壁部が垂下片を形成する辺にのみ形成された請求項１の段ボール製机。
【請求項３】
組み立てた状態の小形の側壁部を椅子として用いる請求項１又は２の段ボール製椅子。
【請求項４】
側壁部の起立壁部に切欠を形成し、椅子をこの切欠から挿入して側壁部の中に収納可能とした請求項１〜３いずれかの段ボール製机と椅子。
【考案の詳細な説明】
【技術分野】
【０００１】
本考案は、主として幼児用のための段ボールで製作した机と椅子に関するものである。
【背景技術】
【０００２】
段ボールは安価である上にリサイクル可能であるから、これを使用して机や椅子ができるとすれば、地球環境に優しくて重宝である。特に、幼児用の机や椅子は、本格的なものは必要ないし、また、学童期になると、本格的なものる代えられて必ず処分されるものであるから、段ボールによる机や椅子は最適であるといえる。このような観点から、段ボール製の机等も幾つか提案されている（特許文献１及び２）。
【特許文献１】実開昭６１−０２１３６号公報
【特許文献２】実公平０５−２３０８６号公報
【考案の開示】
【考案が解決しようとする課題】
【０００３】
問題は、強度であるが、複雑な構造をしているものや、多くの構成片を用いたもの（特許文献１）では、価格も高くなるし、組立ても難しくなってあまり好ましくない。特に、幼児自身に組立てさせるには、複雑なものであってはならない。また、強度を補完するために段ボール以外の素材を使うもの（特許文献２）は、厳密にいえば、段ボール製とはいえない。
【０００４】
本考案は、このような課題を解決するものであり、少ない構成片で単純な構造をしているにもかかわらず、十分な強度を有する段ボール製の机等を提供したものである。
【課題を解決するための手段】
【０００５】
四つの起立壁部が両端に接着部を有して左右に展開し、一つおきの起立壁部の上方又は下方に上面部が連続した側壁部と、天頂部の四辺外方に折返部が連続した天板部とを組み合わせてできる段ボール製机であり、この机が、接着部を接着して上面部が設けられない起立壁部の中央を内側に屈曲させた状態で起立壁部を立てらせ、上面部を折り返して屈曲させた起立壁部の中央上方に形成された切込に差し込んで垂下片を形成するとともに、天板部の天頂部を上面部の上に被せ、屈曲させた起立壁部に位置する折返部を折り返して垂下片の外端に形成された切込に差し込み、他の折返部は該当する起立壁部の上部に折り返したことを特徴とする段ボール製机。
【考案の効果】
【０００６】
本考案に係る段ボール製机は、側壁部と天板部といった少ない構成片で構成される。また、各構成片は、接着、折返し、差込みといった単純な操作で組み立てられるから、適当な指導の下では幼児でも組み立てられる。さらに、強度的に弱い側壁部については、対向壁同士が内側に屈曲され、上面部についてはその中央に折返部を補強梁として通しているから、単純な構造でありながらも、机としての強度を保持している。
【考案を実施するための最良の形態】
【０００７】
図１は本考案の一例を示す段ボール製机Ａ（以下「机」という。）を構成する側壁部１の展開図であるが、側壁部１は、段ボールを用いて四つの起立壁部２が両端に接着部３を有して左右に展開し、一つおきの起立壁部２の上方又は下方に上面部４が連続して形成されたものである。この側壁部１を、接着部３を接着し、起立壁の境界となる部分に形成された折り線５を折曲して四方壁に構成する。なお、接着部３については、糊を用いる糊付けでもよいが、両面接着テープによる方が、糊を用意しなくてもよいから、便利である。
【０００８】
そして、上面部４と起立壁部２の境界に形成された折り線６を折曲すると、上面部４が四方壁の上方を覆うものとなるが、このとき、上面部４の上部には折り線７が形成され、さらに上端には適当間隔で切込８が形成されている。また、上面部４が設けられていない起立壁部２の中央には縦に折り線９が形成され、かつ折り線９の上端には切込１０が形成されている。
【０００９】
図３〜図６は以上の側壁部１と天板部２とで机Ａを組み立てる場合の斜視図であるが、まず、起立壁部２の折り線９を内側に屈曲させ（図３）、これに折り線６で折曲した上面部４を被せ、さらに折り線７を折曲してその切込８を折り線９に形成された切込１０に差し込む（図４）。なお、上面部４は二片あるから、両方の上面部４共この状態にする（図５）。この状態にすると、上面部４の上端（折り線７の先端側）は、屈曲させられた起立壁部２を掛け渡すように垂下する垂下片１１を構成するものになる。この他、垂下片１１の端には、外端から切れ込む切込１２も形成されている。
【００１０】
図２（イ）は天板部１３の展開図であるが、天板部１３も段ボールを用いたものであるが、上面部４とほぼ同じ寸法の天頂部１４と、天頂部１４の四辺外方に折り線１５を経て折返部１６が連続して形成されたものである。なお、屈曲させない起立壁部２に対応する（長手方向の）折返部１６には、折り線１５の外に別の副折り線１７が設けられており、その中央には外方から切込１８も設けられている。そこで、天頂部１４を上面部４の上に被せ、長手方向の折返部１６を折り線１５で折曲し、さらに副折り線１７を折曲してその切込１８を垂下片１１の切込１２に差し込む（図６）。そして、他の折返部１６は、起立壁部２の上部に折り返しておくことで、机Ａの組立は完了する。このとき、折返部１６を起立壁部２に接着するとすれば、折返部１６は起立壁部２に沿うものとなる。
【００１１】
図２（ロ）は天板部１３の他の例を示す展開図であるが、本例のものは、垂下片１１が存在する対向する辺にのみ折返部１６を設け、他の対向する辺には折返部１６を設けず、天頂部１４のみにしたものである。これによると、二つの折返部１６のみ折り返せばよいから、組立が簡単になる。
【００１２】
図７は椅子Ｂの側面図であるが、以上のようにして組み立てた側壁部１は十分な強度を有するものとなるから、これを椅子Ｂとして用いることができる。この場合、椅子Ｂは、机Ａほど大きくなくてもよいから、これを側壁部１の中に収容できる程度の小形のものにしておけばよい。そして、側壁部１のうちの起立壁部２の一つに椅子Ｂが通過できるアーチ形の切欠１９を形成しておけば、使用しないときには、椅子Ｂをこの切欠１９から挿入することで、机Ａに椅子Ｂが収容できる（図８）。
【００１３】
以上説明したように、本考案によると、段ボールによる側壁部と天板部という少ない構成片で、しかも、簡単な構造のものにできるから、机を安価に製作できるとともに、不要になったときには、リサイクルが可能である。また、側壁部の構成で椅子を製作できる。さらに、机や椅子の組立てに際しても、接着部の接着、折り線の折曲、切込同士の差込みといった簡単な操作ででき、適当な指導があれば、幼児自身でも組み立てられ、幼児教育の一環にもなる。
【００１４】
加えて、強度の弱い起立壁部は内側に屈曲させることで、断面係数が増して強度が高くなるし、また、上面部はその中央に垂下片を垂下させることで、これが補強梁となって強度を補う。さらに、同様な構成で椅子も組み立てられ、かつ、この椅子を机に収納できるから、スペースを省略できる。
【図面の簡単な説明】
【００１５】
【図１】本考案に係る机を構成する側壁部の展開図である。
【図２】本考案に係る机を構成する天板部の展開図である。
【図３】本考案に係る机を組み立てる状態を示す斜視図である。
【図４】本考案に係る机を組み立てる状態を示す斜視図である。
【図５】本考案に係る机を組み立てる状態を示す斜視図である。
【図６】本考案に係る机を組み立てる状態を示す斜視図である。
【図７】本考案に係る椅子の側面図である。
【図８】本考案に係る机に椅子を収納した状態を示す断面図である。
【符号の説明】
【００１６】
Ａ　　机
Ｂ　　椅子
１　　側壁部
２　　起立壁部
３　　糊代
４　　上面部
１０　切込
１１　垂下片
１２　切込
１３　天板部
１４　天頂部
１６　折返部
１９　切欠
【図１】
0003100180.tif 000003
【図２】
0003100180.tif 000004
【図３】
0003100180.tif 000005
【図４】
0003100180.tif 000006
【図５】
0003100180.tif 000007
【図６】
0003100180.tif 000008
【図７】
0003100180.tif 000009
【図８】
0003100180.tif 000010